(57)【要約】【課題】  一般的に使用されるスケジューラを用いて、利用者の行動予測・制御を行う行動予測システム等を提供する。【解決手段】  制御部２３は、入力情報５０から、予定が入力された時間を時間情報５３として取得し、その内容を行動予定情報５５として取得する（ステップ１０２）。次に、制御部２３は、記憶部２５から、取得した行動予定情報５５に対してあらかじめ関連付けされている場所情報を抽出する（ステップ１０３）。次に、制御部２３は、記憶部２５から、抽出した場所情報６１に対してあらかじめ関連付けされている機器情報を抽出する（ステップ１０４）。機器情報テーブル７０は、場所情報６１に対して、機器情報７１が関連付けされている。機器情報７１は、場所情報６１ごとに、使用されると予測される機器と、使用されないと予測される機器を含む。【選択図】図４
2015125555.tif 000002
【特許請求の範囲】
【請求項１】
スケジューラの機能を有する一つまたは複数のサーバと、ネットワークを介して接続される行動予測システムであって、
前記スケジューラに入力された入力情報から、時間情報と、行動予定情報と、を抽出する行動予定抽出部と、
前記行動予定情報に対してあらかじめ関連付けられ、使用する機器または使用しない機器である機器情報を記憶部から抽出する機器抽出部と、
を具備し、
前記入力情報から、時間と、使用者が使用する機器または使用者が使用しない機器を予測することを特徴とする行動予測システム。
【請求項２】
前記行動予定情報に対してあらかじめ関連付けられ、使用者の居場所である場所情報を前記記憶部から抽出する場所情報抽出部をさらに具備し、
前記機器情報は、前記場所情報を介して前記行動予定情報と関連付けられており、
前記機器抽出部は、前記行動予定情報から前記場所情報を抽出し、抽出された前記場所情報から、前記場所情報に対してあらかじめ関連付けられ、使用場所に対応して使用する機器または使用しない機器を抽出することを特徴とする請求項１記載の行動予測システム。
【請求項３】
前記行動予定情報が、前記記憶部に存在しない場合において、前記時間情報による時間が経過後、機器使用実績が格納された前記記憶部から、使用機器または使用していない機器の実績を抽出し、前記行動予定情報と、当該時間における機器使用実績の関連付けを行い、前記記憶部に保存する学習部をさらに具備することを特徴とする請求項２記載の行動予測システム。
【請求項４】
前記記憶部には、過去の機器使用実績が格納されており、
前記行動予定情報または前記場所情報に関連付けられて予測された前記機器情報と、前記機器使用実績とを比較して、前記機器情報と前記機器使用実績とが異なる場合において、
前記行動予定情報に対してあらかじめ関連付けられた前記場所情報、または前記場所情報に対してあらかじめ関連付けられた前記機器情報の少なくとも一方を前記機器使用実績に補正し、前記記憶部に保存する補正部を具備することを特徴とする請求項２または請求項３記載の行動予測システム。
【請求項５】
前記機器は、エネルギー消費機器であり、前記機器情報に基づいて、前記時間情報によって、使用しない機器の電源を落とすか運転を停止し、または使用する機器の電源を入れるか運転を開始する機器制御部をさらに具備することを特徴とする請求項１から請求項４のいずれかに記載の行動予測システム。
【請求項６】
前記機器制御部は、前記時間情報の終了時刻前に、終了時刻後に使用を終える予定の機器の電源を落とすか運転を停止することが可能であるか、もしくは、前記時間情報の開始時刻前に、開始時刻後に使用する予定の機器の電源を入れるか運転を開始可能であることを特徴とする請求項５記載の行動予測システム。
【請求項７】
機器ごとに、複数の時間情報に基づいて複数の稼働予定時間を設定し、複数の前記稼働予定時間で機器を稼働した場合の標準コストを算出する標準コスト算出部と、
前記時間情報の少なくとも一方を修正し、機器が連続稼働するように、修正時間を設定し、前記修正時間で機器を稼働した場合の修正コストを算出する修正コスト算出部と、
前記標準コストから前記修正コストを差し引いて算出される削減コストと前記修正時間とからなる省エネルギー情報を送信する送信部と、をさらに具備し、
前記送信部は、使用者の端末に前記省エネルギー情報を送信可能であることを特徴とする請求項５または請求項６記載の行動予測システム。
【請求項８】
前記機器は、セキュリティ機器であり、前記場所情報に基づいて、使用者のいない場所の施錠または防犯機器の作動を行う機器制御部をさらに具備することを特徴とする請求項２から請求項４のいずれかに記載の行動予測システム。
【請求項９】
前記行動予定情報に対してあらかじめ関連付けられた嗜好情報を前記記憶部から抽出する嗜好情報抽出部と、前記嗜好情報に関連する提供情報をネットワークを介して取得する提供情報取得部と、前記提供情報を使用者の端末に送信する送信部と、をさらに具備することを特徴とする請求項２から請求項４のいずれかに記載の行動予測システム。
【請求項１０】
ネットワークを介して、スケジューラの機能を有するサーバから前記スケジューラに入力された入力情報を取得し、時間情報と、行動予定情報と、を抽出し、
前記行動予定情報に対してあらかじめ関連付けられ、使用者の居場所である場所情報を記憶部から抽出し、
前記行動予定情報に対してあらかじめ関連付けられ、使用する機器または使用しない機器である機器情報を前記記憶部から抽出し、
前記機器情報に基づいて、前記時間情報によって、使用しない機器の電源を落とすか運転を停止し、または使用する機器の電源を入れるか運転を開始することを特徴とする機器制御方法。
【請求項１１】
前記時間情報の終了時刻前に、終了時刻後に使用を終える予定の機器の電源を落とすか運転を停止し、もしくは、前記時間情報の開始時刻前に、開始時刻後に使用する予定の機器の電源を入れるか運転を開始することを特徴とする請求項１０記載の機器制御方法。
【請求項１２】
ネットワークを介して、スケジューラの機能を有するサーバから前記スケジューラに入力された入力情報を取得し、時間情報と、行動予定情報と、を抽出し、
前記行動予定情報に対してあらかじめ関連付けられ、使用者の居場所である場所情報を記憶部から抽出し、
前記行動予定情報に対してあらかじめ関連付けられ、使用する機器または使用しない機器である機器情報を前記記憶部から抽出し、
機器ごとに、複数の時間情報に基づいて複数の稼働予定時間を設定し、複数の前記稼働予定時間で機器を稼働した場合の標準コストを算出し、前記時間情報の少なくとも一方を修正し、機器が連続稼働するように、修正時間を設定し、前記修正時間で機器を稼働した場合の修正コストを算出し、前記標準コストから前記修正コストを差し引いて算出される削減コストと前記修正時間とからなる省エネルギー情報を設定し、
使用者の端末に前記省エネルギー情報を送信または表示することを特徴とする行動支援方法。
【請求項１３】
前記行動予定情報に対してあらかじめ関連付けられた、使用者の嗜好情報を前記記憶部から抽出し、
前記嗜好情報を使用者に送信または表示することを特徴とする請求項１２記載の行動支援方法。
【請求項１４】
スケジューラの機能を有するサーバと、ネットワークを介して接続される行動予測装置を、
前記スケジューラに入力された入力情報から、時間情報と、行動予定情報と、を抽出する行動予定抽出部と、
前記行動予定情報に対してあらかじめ関連付けられ、使用者の居場所である場所情報を記憶部から抽出する場所情報抽出部と、
前記場所情報に対してあらかじめ関連付けられ、使用する機器または使用しない機器である機器情報を前記記憶部から抽出する機器抽出部と、
して機能させるためのプログラム。
【発明の詳細な説明】
【技術分野】
【０００１】
本発明は、スケジューラに入力された情報に基づいて使用者の行動を予測し、制御する行動予測システム等に関するものである。
【背景技術】
【０００２】
家庭や会社で使用される機器の稼働を一括して管理する制御システムがある。このような制御システムによれば、あらかじめ、各機器の稼働予定を設定しておくことが可能である。例えば、使用予定のエリアの空調の運転時間を設定したり、使用していないエリアの照明を落とすなど、省エネルギー活動の一環としても利用可能である。
【０００３】
このような、制御装置としては、制御システムに利用者の予定を選択入力しておくことで、対象とする機器の稼働を制御するシステムが商品化されている。
【０００４】
また、登録している携帯端末が近づいたり離れたりすることを検知して、空調等の運転を制御する方法がある（特許文献１）。
【先行技術文献】
【特許文献】
【０００５】
【特許文献１】特開２０１０−２８８２３１号公報
【発明の概要】
【発明が解決しようとする課題】
【０００６】
しかし、現在商品化されているシステムは、制御装置自体にスケジュール入力する必要がある。したがって、制御される機器の使用者が通常の行動予定を管理するために用いている一般のスケジューラとは別に、制御装置専用のスケジューラに予定を入力する必要がある。このため、利便性に難がある。
【０００７】
また、専用装置への予定の入力は、あらかじめ用意された選択肢から予定を選択するため、必ずしも正確な予定を入力するものではない。また、複数人で建物内の機器を使用する場合、使用者全員が制御装置専用のスケジューラにスケジュール入力を行わないと、正確な管理を行うことができない。
【０００８】
また、特許文献１の方法は、携帯端末が近づいた場合に、機器の動作を制御するため、機器動作の事前予測は困難である。また、この他に、センサなどを配置して、センサによって、人が近づいた場合に機器を制御する方法も考えられるが、この方法も、機器動作の事前予測は困難であるとともに、多くのセンサが必要となる。
【０００９】
本発明は、このような問題に鑑みてなされたもので、一般的に使用されるスケジューラを用いて、利用者の行動予測を行い、機器を制御する行動予測システム等を提供することを目的とする。
【課題を解決するための手段】
【００１０】
前述した目的を達するために第１の発明は、スケジューラの機能を有するサーバと、ネットワークを介して接続される行動予測システムであって、前記スケジューラに入力された入力情報から、時間情報と、行動予定情報と、を抽出する行動予定抽出部と、前記行動予定情報に対してあらかじめ関連付けられ、使用する機器または使用しない機器である機器情報を格納する部分（以下「記憶部」とする）から抽出する機器抽出部と、を具備し、前記入力情報から、時間と、使用者が使用する機器または使用者が使用しない機器を予測することを特徴とする行動予測システムである。
【００１１】
このように、通常使用されるサーバ上のスケジューラから、行動予定情報を取得し、行動予定情報から、利用者の行動を予測することができる。このため、利用者が使用する機器と、使用しない機器とを予測することができる。
【００１２】
前記行動予定情報に対してあらかじめ関連付けられ、使用者の居場所である場所情報を前記記憶部から抽出する場所情報抽出部をさらに具備し、前記機器情報は、前記場所情報を介して前記行動予定情報と関連付けられており、前記機器抽出部は、前記行動予定情報から前記場所情報を抽出し、抽出された前記場所情報から、前記場所情報に対してあらかじめ関連付けられ、使用場所に対応して使用する機器または使用しない機器を抽出してもよい。
【００１３】
このようにすることで、利用者の行動予測から、利用者のいる場所を予測することができる。この結果、場所情報から、利用者が使用する機器と、使用しない機器とを予測することができる。
【００１４】
前記行動予定情報が、前記記憶部に存在しない場合において、前記時間情報による時間が経過後、機器使用実績が格納された前記記憶部から、使用機器または使用していない機器の実績を抽出し、前記行動予定情報と、当該時間における機器使用実績の関連付けを行い、前記記憶部に保存する学習部をさらに具備してもよい。
【００１５】
このようにすることで、入力情報から使用機器等が予測できない場合には、機器使用実績を記憶しておき、入力情報と関連付けることで、以後同様の入力情報があった場合に、使用機器等を予測することができる。
【００１６】
前記記憶部には、過去の機器使用実績が格納されており、前記行動予定情報または前記場所情報に関連付けられて予測された前記機器情報と、前記機器使用実績とを比較して、前記機器情報と前記機器使用実績とが異なる場合において、前記行動予定情報に対してあらかじめ関連付けられた前記場所情報、または前記場所情報に対してあらかじめ関連付けられた前記機器情報の少なくとも一方を前記機器使用実績に補正し、前記記憶部に保存する補正部を具備してもよい。
【００１７】
このようにすることで、入力情報から予測した使用予測機器等と機器使用実績とが異なる場合に、入力情報と機器情報との関連付けを補正することで、以後同様の入力情報があった場合に、より正確な使用機器等を予測することができる。
【００１８】
前記機器は、エネルギー消費機器であり、前記機器情報に基づいて、前記時間情報によって、使用しない機器の電源を落とすか運転を停止し、または使用する機器の電源を入れるか運転を開始する機器制御部をさらに具備してもよい。前記機器制御部は、前記時間情報の終了時刻前に、終了時刻後に使用を終える予定の機器の電源を落とすか運転を停止することが可能であるか、もしくは、前記時間情報の開始時刻前に、開始時刻後に使用する予定の機器の電源を入れるか運転を開始可能であってもよい。
【００１９】
スケジューラに基づいて、使用しない機器を予測し、運転を停止することで、不要なエネルギー消費を削減することができる。あるいは電源を落とせば待機電力も削減できる。また、使用予定の機器の電源をあらかじめ入れるか運転を開始することで、例えば、使用する室内の暖房や冷房をあらかじめ行っておくこともできる。また、使用予定の機器について、終了予定時間の前に運転の停止または運転能力を下げることで、快適性や利便性を維持しながら、エネルギー消費量を削減することができる。
【００２０】
機器ごとに、複数の時間情報に基づいて複数の稼働予定時間を設定し、複数の前記稼働予定時間で機器を稼働した場合の標準コストを算出する標準コスト算出部と、前記時間情報の少なくとも一方を修正し、機器が連続稼働するように、修正時間を設定し、前記修正時間で機器を稼働した場合の修正コストを算出する修正コスト算出部と、前記標準コストから前記修正コストを差し引いて算出される削減コストと前記修正時間とからなる省エネルギー情報を送信する送信部と、をさらに具備し、前記送信部は、使用者の端末に前記省エネルギー情報を送信可能であってもよい。
【００２１】
このようにすることで、機器の使用予定に基づいて、エネルギー情報を利用者端末に送信することで、利用者に対して、省エネルギーの啓蒙を行い、省エネルギーを考慮した行動予定への変更を検討する機会を付与することができる。
【００２２】
前記機器は、セキュリティ機器であり、前記場所情報に基づいて、使用者のいない場所の施錠または防犯機器の作動を行う機器制御部をさらに具備してもよい。
【００２３】
このようにすることで、利用者の行動予定に合わせて、セキュリティ機器を制御することができる。
【００２４】
前記行動予定情報に対してあらかじめ関連付けられた嗜好情報を前記記憶部から抽出する嗜好情報抽出部と、前記嗜好情報に関連する提供情報を、ネットワークを介して取得する提供情報取得部と、前記提供情報を使用者の端末に送信する送信部と、をさらに具備してもよい。
【００２５】
このようにすることで、行動予定に即した情報をタイムリーに利用者へ提供することができる。また、前述したエネルギー情報と併せて、趣味を行う時間帯を、省エネルギーを考慮して検討する機会を与えることができる。
【００２６】
第２の発明は、ネットワークを介して、スケジューラの機能を有するサーバから前記スケジューラに入力された入力情報を取得し、時間情報と、行動予定情報と、を抽出し、前記行動予定情報に対してあらかじめ関連付けられ、使用者の居場所である場所情報を記憶部から抽出し、前記行動予定情報に対してあらかじめ関連付けられ、使用する機器または使用しない機器である機器情報を前記記憶部から抽出し、前記機器情報に基づいて、前記時間情報によって、使用しない機器の電源を落とすか運転を停止し、または使用する機器の電源を入れるか運転を開始することを特徴とする機器制御方法である。前記時間情報の終了時刻前に、終了時刻後に使用を終える予定の機器の電源を落とすか運転を停止し、もしくは、前記時間情報の開始時刻前に、開始時刻後に使用する予定の機器の電源を入れるか運転を開始することもできる。
【００２７】
第２の実施形態によれば、スケジューラに入力された情報によって、使用機器等を予測し、機器の運転を制御することができる。このため、効率よく、機器を稼働させることができる。
【００２８】
第３の発明は、ネットワークを介して、スケジューラの機能を有するサーバから前記スケジューラに入力された入力情報を取得し、時間情報と、行動予定情報と、を抽出し、前記行動予定情報に対してあらかじめ関連付けられ、使用者の居場所である場所情報を記憶部から抽出し、前記行動予定情報に対してあらかじめ関連付けられ、使用する機器または使用しない機器である機器情報を前記記憶部から抽出し、機器ごとに、複数の時間情報に基づいて複数の稼働予定時間を設定し、複数の前記稼働予定時間で機器を稼働した場合の標準コストを算出し、前記時間情報の少なくとも一方を修正し、機器が連続稼働するように、修正時間を設定し、前記修正時間で機器を稼働した場合の修正コストを算出し、前記標準コストから前記修正コストを差し引いて算出される削減コストと前記修正時間とからなる省エネルギー情報を設定し、使用者の端末に前記省エネルギー情報を送信または表示することを特徴とする行動支援方法である。
【００２９】
このようにすることで、スケジューラに入力された行動予定から、省エネルギー情報を利用者に提供し、省エネルギー等の行動の検討を促すことができる。
【００３０】
前記行動予定情報に対してあらかじめ関連付けられた、使用者の嗜好情報を前記記憶部から抽出し、前記嗜好情報を使用者に送信または表示してもよい。
【００３１】
このようにすることで、行動予定に即した情報をタイムリーに利用者へ提供することができる。また、前述したエネルギー情報と併せて、趣味を行う時間帯を、省エネルギーを考慮して検討する機会を与えることができる。
【００３２】
第４の発明は、スケジューラの機能を有するサーバと、ネットワークを介して接続される行動予測装置を、前記スケジューラに入力された入力情報から、時間情報と、行動予定情報と、を抽出する行動予定抽出部と、前記行動予定情報に対してあらかじめ関連付けられ、使用者の居場所である場所情報を記憶部から抽出する場所情報抽出部と、前記場所情報に対してあらかじめ関連付けられ、使用する機器または使用しない機器である機器情報を前記記憶部から抽出する機器抽出部と、して機能させるためのプログラムである。
【００３３】
第４の発明によれば、スケジューラに入力された行動予定から、省エネルギー情報を利用者に提供し、省エネルギー等の行動の検討を促すことができる。
【発明の効果】
【００３４】
本発明によれば、一般的に使用されるスケジューラを用いて、利用者の行動予測を行う行動予測システム等を提供することができる。
【図面の簡単な説明】
【００３５】
【図１】機器制御システム１を示すブロック図。
【図２】機器制御システム１の他の態様を示すブロック図。
【図３】行動予測システム５を示すハードウェア構成図。
【図４】行動予測システムの処理方法を示すフローチャート。
【図５】スケジューラ情報テーブル５７を示す図。
【図６】入力情報５０を示す図。
【図７】場所情報テーブル６０を示す図。
【図８】機器情報テーブル７０を示す図。
【図９】行動予測システムの処理方法を示すフローチャート。
【図１０】行動予測システムの処理方法を示すフローチャート。
【図１１】機器稼働情報８０を示す図
【図１２】行動予測システムの処理方法を示すフローチャート。
【図１３】嗜好情報テーブル９０を示す図。
【発明を実施するための形態】
【００３６】
（実施形態１）
以下、図面を参照しながら、本発明の実施形態について説明する。図１は、機器制御システム１を示すブロック図である。機器制御システム１は、主に、サーバ３、行動予測システム５、情報取得システム７、使用者端末９がネットワーク１３を介して接続されて構成される。
【００３７】
サーバ３には、使用者が利用可能なスケジューラ機能を有する。例えば、複数の使用者が、使用者端末９からサーバ３にアクセスし、それぞれの個々のＩＤで自己のスケジュール画面を使用者端末に表示させる。使用者は、自身の予定をスケジューラに入力し保存する。このようにオンライン上のスケジューラによれば、複数の使用者の情報を一括して管理することができる。
なお、複数の利用者が各々異なるスケジューラを使用する場合には、サーバ３もスケジューラごとに複数あってもよい。
【００３８】
行動予測システム５は、サーバ３のスケジューラから、必要な情報を取得する。例えば、使用者ごとに、どのような行動予定であるかのスケジュール内容を取得する。行動予測システム５は、必要に応じて、取得した情報を記憶する。また、得られた情報から、当該使用者が使用する機器または使用しない機器を予測する。行動予測システム５は、この予測に基づいて、接続された各機器１１の動作を制御する。
【００３９】
情報取得システム７は、機器１１の予測結果や実績情報を取得する。得られた情報は、行動予測システム５の管理者等に送信される。
【００４０】
なお、行動予測システム５は、一つのハードウェアでなくてもよく、図２に示すように、行動予定抽出部１５、情報記憶部１７、機器制御部１９を別々のハードウェアとしてもよい。この場合には、行動予定抽出部１５は、サーバ３のスケジューラから、必要な情報を取得する。取得した情報は、情報記憶部１７に記憶される。また、機器制御部１９は、使用者が使用する機器または使用しない機器を予測し、接続された各機器１１の動作を制御する。
【００４１】
このように、機能ごとに装置を別々に配置し、ネットワーク１３等を介して接続してもよい。また、行動予定抽出部１５、情報記憶部１７、機器制御部１９のいずれか２つを一つのハードウェアで構成してもよい。また、さらに、各部を制御する制御部を配置してもよい。また、情報取得システム７の機能を、組み合わせてもよい。
【００４２】
次に、行動予測システム５について詳細を説明する。なお、以下の説明では、行動予測システム５を一つのハードウェアとして説明するが、前述したように、ハードウェアを複数用いて、機能を分散させてもよい。図３は、行動予測システム５を示すハードウェア構成図である。行動予測システム５は、例えばコンピュータであり、制御部２３、記憶部２５、メディア入出力部２７、通信制御部２９、入力部３１、表示部３３、周辺機器Ｉ／Ｆ部３５等から構成され、それらがバス３７を介して接続される。
【００４３】
制御部２３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部２５、ＲＯＭ、記録媒体等に格納されるプログラムをＲＡＭ上のワークメモリ領域に呼び出して実行し、バス３７を介して接続された各装置を駆動制御し、行動予測システム５が行う処理を実現する。
【００４４】
ＲＯＭは、不揮発性メモリであり、コンピュータのブートプログラムやＢＩＯＳ等のプログラム、データ等を恒久的に保持している。ＲＡＭは、揮発性メモリであり、記憶部２５、ＲＯＭ、記録媒体等からロードしたプログラム、データ等を一時的に保持するとともに、制御部２３が各種処理を行う為に使用するワークエリアを備える。
【００４５】
記憶部２５は、ＨＤＤ（ハードディスクドライブ）やＳＳＤ（フラッシュＳＳＤ）（ソリッドステートドライブ）であり、制御部２３が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。これらの各プログラムコードは、制御部２３により必要に応じて読み出されてＲＡＭに移され、ＣＰＵに読み出されて各種の手段として実行される。また、記憶部２５には、本発明において用いられる、各種データが保管される。
【００４６】
メディア入出力部２７（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００４７】
通信制御部２９は、通信制御装置、通信ポート等を有し、コンピュータとネットワーク間の通信を媒介する通信インタフェースであり、ネットワークを介して、例えば、制御部２３によって使用者のスケジュール情報を取得し、または各種情報を送信することができる。
【００４８】
入力部３１は、データの入力を行い、例えば、キーボード、マウス等のポインティングデバイス、テンキー等の入力装置を有する。入力部３１を介して、コンピュータに対して、操作指示、動作指示、データ入力等を行うことができる。
【００４９】
表示部３３は、ＣＲＴモニタ、液晶パネル等のディスプレイ装置、ディスプレイ装置と連携してコンピュータのビデオ機能を実現するための論理回路等（ビデオアダプタ等）を有する。
【００５０】
周辺機器Ｉ／Ｆ（インタフェース）部３５は、コンピュータに周辺機器を接続させるためのポートであり、周辺機器Ｉ／Ｆ部３５を介してコンピュータは周辺機器とのデータの送受信を行う。
【００５１】
バス３７は、各装置間の制御信号、データ信号等の授受を媒介する経路である。なお、行動予測システム５としては、上記構成をすべて含むものに限定されるものではなく、本発明の機能を奏するために必要な構成のみを有すればよい。
【００５２】
なお、行動予測システム５を複数のハードウェアで構成する場合には、それぞれのハードウェアについて、上述した各構成の中で、必要なもので構成すればよい。また、サーバ３、情報取得システム７についても、同様の構成とすればよい。
【００５３】
次に、本発明の行動予測システム５の制御方法について説明する。図４は、行動予測システム５の制御方法を示すフローチャートである。まず、制御部２３は、サーバ３に保存されているスケジューラから、スケジューラに入力された入力情報を取得する（ステップ１０１）。
【００５４】
図５は、個人ＩＤ＝Ａのスケジューラ情報テーブル５７の一例を示す図である。図に示すように、個人ＩＤ＝Ａの使用者のスケジューラに、「１０：００〜１１：００  打ち合わせ」、「１３：００〜１５：００  買い物」と入力された場合を想定する。このように、スケジューラには、時間と予定とがセットで入力されている場合が多い。制御部２３は、このように、時間と予定とが含まれる情報を入力情報として取得する。
【００５５】
図６は、入力情報５０を示す図である。入力情報５０は、個人ＩＤ５１、時間情報５３、行動予定情報５５からなる。個人ＩＤ５１は、使用者ごとに付与されるＩＤである。時間情報５３と行動予定情報５５は、それぞれ、スケジューラに入力された予定時間と予定内容である。
【００５６】
なお、制御部２３は、ステップ１０１において、予め設定された個人ＩＤ５１を有する入力情報５０のみをサーバ３から取得する。例えば、対象家庭の家族全員の個人ＩＤを有する入力情報５０を取得する。または、同一建物内で仕事を行う従業員全員または一部の従業員の個人ＩＤを有する入力情報５０を取得する。
【００５７】
また、使用者がスケジューラの内容を変更した場合には、定期的に、または変更が生じた際に、制御部２３がスケジューラから入力情報を取得する。
【００５８】
また、スケジューラから入力情報５０を取得する方法としては、直接スケジューラから入力情報５０を取得する場合には限られない。例えば、スケジューラの内容をスケジューラのサーバ３側から送信を受けてもよい。また、スケジューラを行動予測システム５上に設けてもよい。
【００５９】
制御部２３は、入力情報５０から、予定が入力された時間を時間情報５３として取得し、その内容を行動予定情報５５として取得する（ステップ１０２）。前述の例では、制御部２３は、当日の日付とともに、個人ＩＤ５１＝Ａについて、時間情報５３＝「１０：００〜１１：００」と行動予定情報５５＝「打ち合わせ」をセットで取得し、さらに、個人ＩＤ５１＝Ａについて、時間情報５３＝「１３：００〜１５：００」と行動予定情報５５＝「買い物」をセットで取得する。
【００６０】
このように、制御部２３は、個人ＩＤ５１毎に、時間情報５３と行動予定情報５５とが含まれるすべての入力情報を取得する。なお、制御部２３は、必要に応じて、取得した入力情報５０を、記憶部２５に保存する。
【００６１】
次に、制御部２３は、取得した行動予定情報５５に対してあらかじめ関連付けされている場所情報を、記憶部２５から抽出する（ステップ１０３）。
【００６２】
図７は、場所情報テーブル６０を示す図である。記憶部２５には、予め場所情報テーブル６０が記憶されている。場所情報テーブル６０は、行動予定情報５５に含まれるワードに対して、それぞれ場所情報６１が関連付けされている。場所情報６１は、例えば、使用者の住む家屋内の場所や、使用者が従事する企業の建物内の場所などである。
【００６３】
例えば、行動予定情報５５に「打ち合わせ」というワードが含まれている場合、これに対応する場所情報６１の「客間」が抽出される。なお、行動予定情報５５に複数のワードが含まれている場合には、それぞれのワードに対して優先付けを行っておいてもよい。また、例えば会社においては、打ち合わせ場所の部屋番号などが含まれている場合に、この部屋番号に対応する打ち合わせ室を関連付けしてもよい。
【００６４】
なお、例えば、行動予定情報５５に「買い物」などのワードが含まれている場合、場所情報６１は「屋外」と関連付けされる。すなわち、場所情報６１には、家屋内の場所や、建物内の場所以外にも、これらの屋外も含まれる。また、行動予定情報５５の一つのワードに対して、複数の場所を関連付けてもよい。
【００６５】
次に、制御部２３は、抽出した場所情報６１に対してあらかじめ関連付けされている機器情報を、記憶部２５から抽出する（ステップ１０４）。
【００６６】
図８は、機器情報テーブル７０を示す図である。記憶部２５には、予め機器情報テーブル７０が記憶されている。機器情報テーブル７０では、場所情報６１に対して、機器情報７１がそれぞれ関連付けされている。機器情報７１は、場所情報６１ごとに、使用されると予測される機器と、使用されないと予測される機器を含む。
【００６７】
例えば、場所情報６１が「客間」である場合、これに対応する機器情報７１として、客間照明、客間空調、・・・などが使用予測機器として抽出される。同様に、場所情報６１が「客間」である場合、これに対応する機器情報７１として、風呂場照明、寝室空調、・・・などが不使用予測機器として抽出される。このようにして抽出されたそれぞれの機器は、行動予定時間において使用者が使用すると予測される機器または使用されないと予測される機器である。
【００６８】
次に、制御部２３は、機器情報７１に基づいて、機器の稼働を制御する（ステップ１０５）。
【００６９】
例えば、機器情報７１として、客間照明、客間空調、・・・などが使用予測機器として抽出された場合には、制御部２３は、対応する時間情報５３の予定時間の少し前に、客間空調の稼働を開始する。また、予定時間になると、例えば客間照明を点灯する。同様に、機器情報７１として、風呂場照明、寝室空調、・・・などが不使用予測機器として抽出された場合には、制御部２３は、対応する時間情報５３には、それらの機器の稼働を停止する。
【００７０】
また、制御部２３は、対応する時間情報５３が経過すると、客間空調および客間照明の稼働を停止する。なお、手動で各機器が操作された場合には、制御部２３による制御よりも、手動操作が優先される。例えば、予定よりも打ち合わせが早く終われば、使用者が手動で機器を停止することができる。この場合でも、例えば機器の切り忘れがあっても、予定時間が経過すれば、確実に機器を停止することができる。また、仮に、予定時間が伸びた場合には、停止した空調や照明を使用者が再度稼働させることもできる。
【００７１】
なお、機器情報７１の対象となる機器としては、例えば、空調、照明などのエネルギー消費機器が挙げられる。このようなエネルギー消費機器の稼働を、使用者の行動予定に沿って制御部２３で制御することで、必要な時のみ機器を稼働させることができる。すなわち、制御部２３は、使用しない機器の電源を落とし、または使用する機器の電源を入れる機器制御部として機能する。このため、無駄なエネルギー消費を抑制することができる。
【００７２】
また、機器情報７１の対象となる機器としては、例えば、セキュリティ機器であってもよい。例えば、場所情報６１に基づいて、使用者のいない場所の施錠または防犯機器の稼働を制御することもできる。すなわち、制御部２３は、セキュリティ機器の動作を制御する機器制御部として機能する。また、場所情報６１が「屋外」の場合には、建物全体の施錠や防犯機器の稼働を行えばよい。このようにすることで、本来人がいないはずの時間および場所に人が侵入した場合を検知することができる。
【００７３】
以上説明したように、本実施形態の行動予測システム５によれば、サーバ上のスケジューラから、行動予定情報５５を取得し、行動予定情報５５から、利用者の行動を予測することができる。したがって、使用者が自らのスケジュール管理として利用しているスケジューラを利用するため、使用者が利用しやすい。また、機器制御等のための別途のスケジュール入力が不要である。
【００７４】
また、従来使用しているスケジューラをそのまま利用するため、例えば、機器制御の為の選択式のスケジュール入力と比較して、より細かな行動を予測することができる。
【００７５】
また、このようにして得られた使用者の行動予測から、利用者のいる場所を予測することができる。この結果、場所情報から、利用者が使用する機器と、使用しない機器とを予測することができる。このため、これらの情報に基づいて、機器の稼働を制御することができる。
【００７６】
例えば、使用しない機器を予測し、当該機器の電源を落とすることで、不要なエネルギー消費を削減することができる。また、使用予定の機器の電源をあらかじめ入れることで、例えば、使用する室内の暖房や冷房をあらかじめ行っておくこともできる。また、利用者の行動予定に合わせて、セキュリティ機器を制御することもできる。
【００７７】
なお、本実施形態では、行動予定情報５５から、場所情報テーブル６０を用いて、対応する場所情報６１を抽出し、さらに、機器情報テーブル７０によって、対応する機器情報７１を抽出したが、本発明はこれに限られない。例えば、機器情報テーブル７０において、行動予定情報５５に対して、機器情報７１が関連付けられてもよい。
【００７８】
この場合、制御部２３は、入力情報５０から行動予定情報５５を抽出し、これに対応する機器情報７１を、機器情報テーブル７０を用いて直接抽出することができる。すなわち、場所情報６１は必ずしも必要ではない。なお、本発明では、行動予定情報５５から、場所情報６１を介して、機器情報７１を抽出する場合も、単に、行動予定情報５５から機器情報７１を抽出すると称する。以下の説明では、場所情報６１を用いた例について説明する。
【００７９】
また、機器情報７１を取得するまでの工程は、一日に一度行ってもよく、所定時間ごとに行ってもよい。
【００８０】
また、同一の場所情報に、複数の使用者がいると判断された場合には、同時使用される場所の機器の能力を上げるように制御することもできる。
【００８１】
また、複数の使用者が別々の場所にいると判断された場合には、使用者間で優先順位を設けて、機器を稼働させるように制御してもよい。また、使用者の多い場所を優先して機器を稼働させるように制御することもできる。
【００８２】
（実施形態２）
次に、第２の実施の形態について説明する。なお、以下の説明において、第１の実施形態と同様の構成については、図１〜図８と同一の符号を付し、重複する説明を省略する。第２の実施形態では、さらに、場所情報テーブル６０の補正および学習機能を有する。
【００８３】
図９は、場所情報テーブル６０の補正および学習機能の制御工程を示すフローチャートである。制御部２３は、前述した機器制御（図４、ステップ１０５）の後、実際の機器の稼働実績を記憶部２５に記憶する（ステップ２０１）。すなわち、それぞれの時間における機器情報７１の稼働実績を記憶する。
【００８４】
次に、制御部２３は、入力情報５０から抽出した行動予定情報５５が、場所情報テーブル６０に存在したかどうかを判断する（ステップ２０２）。行動予定情報５５が場所情報テーブル６０に存在しなかった場合には、ステップ２０５に移る。
【００８５】
行動予定情報５５が場所情報テーブル６０に存在した場合には、制御部２３は、機器情報７１を抽出できたことになる。したがって、機器情報テーブル７０によって、使用される機器または不使用である機器を予測できたこととなる。
【００８６】
次に、制御部２３は、予測された機器の使用状況と、実際の機器の稼働実績を比較する（ステップ２０３）。例えば、使用されると予測された機器の電源がその時間内で落とされた場合や、不使用とされた機器の電源が投入された場合など、予測された機器の稼働状況との乖離を算出する。
【００８７】
制御部２３は、対象となる時間情報５３に対して、使用予測機器が、所定割合以上の時間で電源が落とされていた場合や、不使用と予測された機器が、所定割合以上の時間で電源が投入されていた場合には、予測と実績とが所定以上乖離したと判断する。例えば、使用予測機器の稼働時間が、電源が切られていた時間よりも短い場合や、不使用予測機器の稼働時間が、電源が切られていた時間よりも長い場合に、予測と実績とが所定以上乖離したと判断し、機器情報７１と機器使用実績とが異なると判定する。
【００８８】
制御部２３は、予測と実績とが所定以上乖離したと判断すると、場所情報テーブル６０または機器情報テーブル７０を補正する（ステップ２０４）。すなわち、行動予定情報５５に関連付けされる場所情報６１を補正するか、または、行動予定情報５５に対応する場所情報６１に関連付けられた機器情報７１を実績に合わせて修正する。なお、行動予定情報５５から直接機器情報７１が関連付けられている場合には、行動予定情報５５に関連付けされる場所情報６１を補正する。
【００８９】
例えば、行動予定情報５５＝「打ち合わせ」に対して、場所情報６１＝「客間」が関連付けられていたとする。この場合に、機器使用実績では、他の部屋の電気が使用されたり、いずれの部屋の電気も使用されていなかった場合には、行動予定情報５５＝「打ち合わせ」に対する場所情報６１を、当該部屋に修正したり、「屋外」と修正する。この場合、機器使用実績と機器情報７１とが最も近い場所情報６１を選択すればよい。または、場所情報６１に対して、機器使用実績に合わせて、機器情報７１を修正・設定することもできる。
【００９０】
制御部２３は、補正された情報を記憶部２５に保存する。以上で、行動予定情報５５に対してあらかじめ関連付けられた場所情報６１、または場所情報６１に対してあらかじめ関連付けられた機器情報７１の少なくとも一方を機器使用実績によって補正することができる。
【００９１】
次に、行動予定情報５５が場所情報テーブル６０に存在しなかった場合について説明する。この場合には、制御部２３は、行動予測を行うことができなかったことになる。この場合には、機器使用実績と機器情報７１とが最も近い場所情報６１を選択・推定する（ステップ２０５）。
【００９２】
また、制御部２３は、場所情報テーブル６０に、行動予定情報５５を新たに追加し、当該行動予定情報５５と選択された場所情報６１を関連付ける（ステップ２０６）。または、当該行動予定情報５５に対して、新たに場所Ａとして、新たな場所情報６１を追加して関連付けてもよい。この場合には、新たな場所情報６１に対して、機器使用実績に合わせて、機器情報７１を設定すればよい。
【００９３】
制御部２３は、新たに設定された情報を記憶部２５に保存する。以上で、新たな行動予定情報５５に対して、場所情報６１または機器情報７１の少なくとも一方を機器使用実績によって学習することができる。
【００９４】
なお、記憶部２５に記憶された各機器の稼働実績は、情報取得システム７（図１）によって、取得され、行動予測システム５の管理者に送信されてもよい。
【００９５】
第２の実施形態によれば、第１の実施形態と同様の効果を得ることができる。また、行動予定情報５５に対する場所情報６１または機器情報７１を、機器使用実績と比較することで、機器使用実績に近くなるように行動予定情報５５との関連付けを補正することができる。このため、より精度よく行動を予測し、機器を制御することができる。
【００９６】
なお、場所情報テーブル６０および機器情報テーブル７０は、使用者ＩＤごとに設定される。このため、使用者の入力時の癖や選択するワードに対して、個々の場所情報テーブル６０および機器情報テーブル７０が補正される。したがって、使用者ごとに正確な行動予測を行うことができる。
【００９７】
また、場所情報テーブル６０に設定されていない行動予定情報５５が発見された場合には、当該行動予定情報５５を新たに場所情報テーブル６０に追加し、さらに、機器使用実績から、場所情報６１および機器情報７１が関連付けられる。したがって、当初設定されていない行動予定情報５５を学習し、使用者の行動を予測することができる。
【００９８】
（実施形態３）
次に、第３の実施の形態について説明する。第３の実施形態では、さらに、省エネルギー情報が使用者へ送信される。
【００９９】
図１０は、省エネルギー情報の送信工程を示すフローチャートである。制御部２３は、前述した機器情報７１の取得（図４、ステップ１０４）の後、機器情報７１に関連付けられた使用機器に関する機器稼働情報を記憶部２５から取得する（ステップ３０１）。
【０１００】
図１１は、機器稼働情報８０を示す図である。機器稼働情報８０は、記憶部２５に記憶される。機器稼働情報８０は、機器ＩＤ８１、稼働予定時間情報８３、エネルギー消費量情報８５からなる。機器ＩＤ８１は、予め設定されている機器を識別するものである。稼働予定時間情報８３は、当該機器が稼働を予定している時間であり制御部２３によって設定される。
【０１０１】
例えば、時間情報５３＝「１０：００〜１１：００」に対応する行動予定情報５５から、特定の使用機器（例えば空調機器）が予測された場合、この機器の稼働予定時間は、制御部２３によって例えば「９：４５〜１１：００」と設定される。制御部２３は、機器ＩＤ８１に対して、稼働予定時間情報８３を記憶する。なお、例えば空調機器について、終了予定時間の前（例えば１５分前）に運転の停止または運転能力を下げることで、快適性や利便性を維持しながら、エネルギー消費量を削減することもできる。すなわち、時間情報５３の開始時刻前に、機器情報７１から開始時刻後に使用する予定の機器の少なくとも一部を抽出し、当該機器の電源を入れるか運転を開始してもよい。また、時間情報５３の終了時刻前に、機器情報７１から終了時刻後に使用を終える予定の機器の少なくとも一部を抽出し、当該機器の電源を落とすか運転を停止してもよい。
【０１０２】
エネルギー消費量情報８５は、当該機器の単位時間当たりに消費される平均エネルギー消費量である。エネルギー消費量情報８５は、機器ごとにあらかじめ設定されている。
【０１０３】
次に、制御部２３は、機器のエネルギー消費量情報８５に稼働予定時間情報８３を乗じて、消費エネルギー量を算出する。なお、同一の機器で複数の稼働予定時間情報８３を有する場合には、稼働予定時間情報８３ごとに、消費エネルギー量を算出する。また、別途記憶部２５に記憶されるエネルギー単価（単位エネルギー量当たりのコスト）を読み出して、消費エネルギー量に乗じ、標準コストを算出する（ステップ３０２）。
【０１０４】
次に、制御部２３は、所定の時間範囲内に、当該機器の複数の稼働予定時間情報８３があるかどうかを判定する（ステップ３０３）。例えば、稼働予定時間情報８３が複数ある場合に、互いの稼働予定時間の間隔が所定時間（例えば１時間）以内であるかどうかを判定する。
【０１０５】
制御部２３は、稼働予定時間情報８３が複数あり、互いの稼働予定時間の間隔が所定時間以内であると判断すると、当該機器が連続して稼働するように、修正時間を算出する。例えば、稼働予定時間情報８３が、Ａ＝「８：００〜９：００」、Ｂ＝「９：４５〜１１：００」と複数設定されている場合、それぞれに対応する時間情報５３は、Ａ＝「８：１５〜９：００」、Ｂ＝「１０：００〜１１：００」である。この場合、修正時間は、Ａ＝「９：１５〜１０：００」、Ｂ＝「９：００〜１０：００」とする。
【０１０６】
次に、制御部２３は、この修正時間で機器を稼働させた場合のコストを算出する。上述した例では、例えば、修正時間Ａを採用した場合には、修正時間を考慮した時間情報５３は「９：１５〜１１：００」と連続する。この場合の修正された稼働予定時間情報８３は、「９：００〜１１：００」と設定される。
【０１０７】
制御部２３は、稼働予定時間情報８３が「９：００〜１１：００」と設定された場合において、機器のエネルギー消費量情報８５およびエネルギー単価を乗じて、修正コストを算出する。また、制御部２３は、当初の標準コストと修正コストとを比較し、削減コストを算出する（ステップ３０５）。
【０１０８】
制御部２３は、使用者端末９に対して、修正時間およびこの際の削減コスト（省エネルギー情報）を送信する（ステップ３０６）。なお、前述の例において、対象となる時間情報５３、Ａ＝「８：１５〜９：００」、Ｂ＝「１０：００〜１１：００」が、別々の使用者である場合には、それぞれの使用者に対して、省エネルギー情報（修正時間および削減コスト）を送信する。
【０１０９】
省エネルギー情報を取得した使用者は、行動予定時間を変更すると、どの程度のコスト削減につながるかを知ることができる。したがって、予定の変更が効く場合には、使用者は予定を変更して、省エネルギー活動を行うことができる。すなわち、使用者は、通常、省エネルギーを意識せずにスケジュールを組むことが多いが、本実施形態によれば、理由なく設定した予定など、時間に自由度がある場合には、より省エネルギーに有利な予定に変更する契機を与えることができる。
【０１１０】
ここで、エネルギー単価が時間によって変動がある場合がある。例えば、夜間と昼間とで電気代が変動する場合がある。この場合には、さらに、エネルギー単価による修正時間を算出することもできる。
【０１１１】
制御部２３は、時間によってエネルギー単価の変動があるかどうかを判定する（ステップ３０７）。エネルギー単価の変動の有無は、使用者によってあらかじめ設定され、記憶部２５に記憶されている。
【０１１２】
時間によってエネルギー単価の変動がある場合には、制御部２３は、エネルギー単価の高い時間帯に稼働予定の機器に対して、前述した標準コストを算出する。また、当該機器をエネルギー単価の低い時間帯（修正時間）に稼働した場合の修正コストを算出する。制御部２３は、当初の標準コストと修正コストとを比較し、削減コストを算出する（ステップ３０８）。
【０１１３】
制御部２３は、使用者端末９に対して、修正時間およびこの際の削減コスト（省エネルギー情報）を送信する（ステップ３０９）。例えば、外出予定（場所情報６１＝「屋外」）の時間帯を、夜間から昼間に変更することで、昼間のエネルギー単価が高い時間帯に、機器の稼働を抑え、夜間のエネルギー単価が低い時間帯に、機器を稼働させることができる。このため、コストを削減することができる。
【０１１４】
なお、上述の例では、機器の連続稼働による省エネルギー情報と、機器の使用時間帯の変更による省エネルギー情報との二つの省エネルギー情報を使用者に送信する例を説明したが、いずれか一方のみを送信してもよい。また、記憶部２５に記憶された省エネルギー情報を、使用者端末９からアクセス可能な状態とすることで、使用者端末９の表示部に省エネルギー情報を表示させてもよい。また、例えば空調機器について、終了予定時間の前（例えば１５分前）に運転の停止または運転能力を下げるように制御した場合には、終了時刻となるまで連続運転した場合と比較して、停止等の制御を早めることによる省エネルギー量を算出し、利用者に送信またはアクセス可能としてもよい。
【０１１５】
第３の実施形態によれば、第１の実施形態と同様の効果を得ることができる。また、使用者端末９に対して、使用者の行動予定に対する省エネルギー情報が送信されるため、使用者に、省エネルギーに対する意識付けを行うことができる。また、使用者が省エネルギー情報に基づいて行動予定を修正すれば、実際に省エネルギーの効果を得ることができる。
【０１１６】
（実施形態４）
第４の実施の形態について説明する。第４の実施形態では、さらに、嗜好情報が使用者へ送信される。
【０１１７】
図１２は、嗜好情報の送信工程を示すフローチャートである。制御部２３は、前述した行動予定情報５５の取得（図４、ステップ１０２）の後、行動予定情報５５に関連付けられた嗜好情報を記憶部２５から取得する（ステップ４０１）。
【０１１８】
図１３は、嗜好情報テーブル９０を示す図である。記憶部２５には、予め嗜好情報テーブル９０が記憶されている。嗜好情報テーブル９０は、行動予定情報５５に含まれるワードに対して、それぞれ嗜好情報９１が関連付けされている。嗜好情報９１は、例えば、趣味のカテゴリーである。なお、嗜好情報９１は、ネットワーク１３を介して、一般的な情報サイトにおけるカテゴリーと一致させる。
【０１１９】
制御部２３は、ネットワークを介して情報サイトなどから、当該嗜好情報のカテゴリーに関する情報（提供情報）を取得する（ステップ４０２）。
【０１２０】
制御部２３は、使用者端末９に対して、提供情報を送信する（ステップ４０３）。例えば、制御部２３は、嗜好情報９１＝「映画」であれば、ネットワーク上の情報サイトから映画に関する情報（チケット情報や上映情報、新作情報など）を取得し、使用者に送信する。なお、記憶部２５に記憶された嗜好情報９１を、使用者端末９からアクセス可能な状態とすることで、使用者端末９の表示部に嗜好情報９１を表示させてもよい。
【０１２１】
第４の実施形態によれば、第１の実施形態と同様の効果を得ることができる。また、使用者端末９に対して、使用者の行動予定から嗜好情報９１を予測し、嗜好情報９１に関する提供情報が送信される。このため、使用者の趣味に応じた情報を使用者に送信することができる。
【０１２２】
なお、行動予定情報５５が趣味に関するワードである場合、当該行動予定情報５５は、場所情報テーブル６０と嗜好情報テーブル９０の両方に存在することになる。したがって、例えば行動予定情報５５＝「映画」であれば、場所情報６１＝「屋外」、行動予定情報５５＝「読書」であれば、場所情報６１＝「書斎」など、行動予定情報５５が趣味に関するワードであっても、場所情報６１および機器情報７１と関連づけられる。このため、上述した機器制御等を行うことができる。
【０１２３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０１２４】
例えば、前述した各実施例は、互いに組み合わせることもできることはいうまでもない。
【符号の説明】
【０１２５】
１………機器制御システム
３………サーバ
５………行動予測システム
７………情報取得システム
９………使用者端末
１１………機器
１３………ネットワーク
１５………行動予定抽出部
１７………情報記憶部
１９………機器制御部
【図１】
2015125555.tif 000003
【図２】
2015125555.tif 000004
【図３】
2015125555.tif 000005
【図４】
2015125555.tif 000006
【図５】
2015125555.tif 000007
【図６】
2015125555.tif 000008
【図７】
2015125555.tif 000009
【図８】
2015125555.tif 000010
【図９】
2015125555.tif 000011
【図１０】
2015125555.tif 000012
【図１１】
2015125555.tif 000013
【図１２】
2015125555.tif 000014
【図１３】
2015125555.tif 000015